(57)【特許請求の範囲】
【請求項１】
対応するセンサと共に車両のタイヤ内部に設置され且つ前記車両に配置された受信機に向けて電波を用いて断続的に情報を送信する送信機であって、
送信用アンテナと、
対応するセンサにより計測されたセンサ計測情報を含む送信情報を送信するための送信指示信号を断続的に発生し、この送信指示信号に応じて、前記送信情報の送信信号を生成する送信制御部と、
前記送信指示信号をトリガー信号として乱数を発生する乱数発生部と、
前記送信指示信号の発生の度に前記乱数発生部で発生された乱数の値に応じて所定の周波数の帯域内で設定された周波数の搬送波信号を生成する搬送波信号生成部と、
前記搬送波信号に前記送信信号を含ませて前記送信用アンテナに供給する高周波信号を生成する高周波信号生成部と
を有することを特徴とする送信機。
【請求項２】
前記送信情報は、送信機の保有する送信機識別情報を含むことを特徴とする請求項１に記載の送信機。
【請求項３】
電波を用いて断続的に情報を送信する複数の送信機と、これらの送信機から送信された送信情報を受信する１つの受信機とからなる無線送信システムであって、
前記複数の送信機の各々が、それぞれ対応するセンサと共に車両のタイヤ内部に設置され、
送信用アンテナと、
対応するセンサにより計測されたセンサ計測情報を含む送信情報を送信するために送信指示信号を断続的に発生し、この送信指示信号に応じて、前記送信情報の送信信号を生成する送信制御部と、
前記送信指示信号をトリガー信号として乱数を発生する乱数発生部と、
前記送信指示信号の発生の度に前記乱数発生部で発生された乱数の値に応じて所定の周波数の帯域内で設定された周波数の搬送波信号を生成する搬送波信号生成部と、
前記搬送波信号に前記送信信号を含ませて前記送信用アンテナに供給する高周波信号を生成する高周波信号生成部とを有し、
前記受信機は、前記車両に配置され、
前記所定の周波数の帯域で前記高周波信号を一括して受信する受信用アンテナと、
この受信用アンテナで受信した受信信号を増幅する広帯域増幅部と、
この広帯域増幅部で増幅された前記受信信号から、この受信信号に含まれる前記高周波信号のゲインが最大になるように、同調信号を用いて前記高周波信号を取り出し、取り出された前記高周波信号を検波して前記送信信号を取り出す信号処理部とを有することを特徴とする無線送信システム。
【請求項４】
前記送信情報は、各送信機の保有する送信機識別情報を含むことを特徴とする請求項３に記載の無線送信システム。
【発明の詳細な説明】
【０００１】
【発明の属する技術分野】
本発明は、情報を送信する送信機および、複数の送信機から送信される情報を１つの受信機で受信する無線送信システムに関する。
【０００２】
【従来の技術】
今日、配線の不可能な場所にセンサを設け、このセンサによる計測情報を無線で送信し、一方において、この送信された情報を受信するテレメータが普及している。
例えば、自動車等の開発車両の走行テスト等において、車両の構成部材、例えばサスペンション周りの構成部材に、温度センサや振動センサと、テレメータ送信機とを取り付け、車両走行中の温度や振動のデータを計測情報としてテレメータ送信機から送信機毎に定めた周波数の電磁波に載せて一定周期で発信させ、一方において、車両室内に据えつけたテレメータ受信機で電波情報を受信して、車両走行中の温度や振動のデータを取得し、走行中の車両の計測を行っている。
【０００３】
【発明が解決しようとする課題】
ところが、温度や振動等の計測すべき計測点が多い場合、数十箇所にもなり、計測点ごとに、計測情報を搬送する電磁波を数十の周波数帯域に分けて送信機に搬送する周波数を定めなければならない。しかも、この周波数帯域に分けられた各チャンネルの周波数毎に受信する受信機を送信機に対応して用いなければならない。そのため、すべての送信機の計測情報を受信する受信機は非常に大きくなり、取り扱いも煩雑になる。
また、テレメータ送信機自体も比較的大きいため、細かな構成部材への取り付けが制約されるといった問題があった。
また、送信周波数の近接した送信機が２つある場合、強い電波を発生する送信機が受信機に受信され、電波の弱い送信機の電波情報は受信されない。そのため、一定周期で発信される送信機からの電波情報が計測されないといった問題があった。
【０００４】
また、このような問題は、種々のセンサを使って計測する計測分野に限られず、部外者の侵入を阻止するセキュリティーの分野やプラントの監視の分野等、複数の送信機を用いて情報を送信しつつ受信機で受信して情報を取得する送信システムを用いる幅広い分野で生じる問題である。
【０００５】
そこで、本発明は、上記問題点を解決すべく、複数の送信機を用いて情報を送信する際、送信機からの送信情報を確実に受信し、しかも送信システムを容易に構築できる送信機およびこの送信機を用いて無線送信システムを提供することを目的とする。
【０００６】
【課題を解決するための手段】
上記目的を達成するために、本発明は、対応するセンサと共に車両のタイヤ内部に設置され且つ前記車両に配置された受信機に向けて電波を用いて断続的に情報を送信する送信機であって、
送信用アンテナと、
対応するセンサにより計測されたセンサ計測情報を含む送信情報を送信するための送信指示信号を断続的に発生し、この送信指示信号に応じて、前記送信情報の送信信号を生成する送信制御部と、
前記送信指示信号をトリガー信号として乱数を発生する乱数発生部と、
前記送信指示信号の発生の度に前記乱数発生部で発生された乱数の値に応じて所定の周波数の帯域内で設定された周波数の搬送波信号を生成する搬送波信号生成部と、
前記搬送波信号に前記送信信号を含ませて前記送信用アンテナに供給する高周波信号を生成する高周波信号生成部と
を有することを特徴とする送信機を提供する。
【０００７】
ここで、前記送信情報は、送信機の保有する送信機識別情報を含むのが好ましい。
【０００８】
また、本発明は、電波を用いて断続的に情報を送信する複数の送信機と、これらの送信機から送信された送信情報を受信する１つの受信機とからなる無線送信システムであって、
前記複数の送信機の各々が、それぞれ対応するセンサと共に車両のタイヤ内部に設置され、
送信用アンテナと、
対応するセンサにより計測されたセンサ計測情報を含む送信情報を送信するために送信指示信号を断続的に発生し、この送信指示信号に応じて、前記送信情報の送信信号を生成する送信制御部と、
前記送信指示信号をトリガー信号として乱数を発生する乱数発生部と、
前記送信指示信号の発生の度に前記乱数発生部で発生された乱数の値に応じて所定の周波数の帯域内で設定された周波数の搬送波信号を生成する搬送波信号生成部と、
前記搬送波信号に前記送信信号を含ませて前記送信用アンテナに供給する高周波信号を生成する高周波信号生成部とを有し、
前記受信機は、前記車両に配置され、
前記所定の周波数の帯域で前記高周波信号を一括して受信する受信用アンテナと、
この受信用アンテナで受信した受信信号を増幅する広帯域増幅部と、
この広帯域増幅部で増幅された前記受信信号から、この受信信号に含まれる前記高周波信号のゲインが最大になるように、同調信号を用いて前記高周波信号を取り出し、取り出された前記高周波信号を検波して前記送信信号を取り出す信号処理部とを有することを特徴とする無線送信システムを提供する。
【０００９】
ここで、前記送信情報は、各送信機の保有する送信機識別情報を含むのが好ましい。
【００１０】
【発明の実施の形態】
以下、本発明の送信機および無線送信システムについて、添付の図面に示される好適実施例を基に詳細に説明する。
【００１１】
図１は、本発明の無線送信システムを実施する温度計測に用いる送信システム１０の概略を示している。
【００１２】
送信システム１０は、温度センサＳ１〜Ｓｎ（ｎ≧２の自然数、例えばｎ＝１００）各々が接続された複数の送信機Ｔ１〜Ｔｎと１つの受信機Ｒとから構成され、温度センサＳ１〜Ｓｎで計測された温度データを、電波を用いて送信機Ｔ１〜Ｔｎで送信し、一方、送信された情報を受信機Ｒで受信して、送信機Ｔ１〜Ｔｎ毎に整理して、温度センサＳ１〜Ｓｎで計測された時系列データＤ1 （ｉ）、Ｄ2 （ｉ）、・・・、Ｄn （ｉ）を出力するシステムである。ここで、送信機Ｔ１〜Ｔｎは、いずれも同一の構成を有し、例えば、３１５ＭＨｚを中心とする±１０ＭＨｚの範囲の周波数の電波を放射する送信機である。以降では、代表として、送信機Ｔ１について説明する。
【００１３】
図２は、送信機Ｔ1 （以降では、送信機の符号Ｔ１を２０とする）の構成を示している。
送信機２０は、増幅回路２２、送信制御部２４、ランダム信号発振回路２６、基準信号発振回路２８、混合器（ミキサ）３０、変調回路３２、および送信用アンテナ３４を有して構成される。
【００１４】
送信機２０は、例えば、直径２５ｍｍの円形状のＧａ−Ａｓ基板等のチップ上に、公知のＩＣ設計技術、モノリシックマイクロ波集積回路（ＭＭＩＣ）技術を用いて作製されて各部位がＩＣ化されており、重量も例えば５ｇと非常に軽く仕上げられている。
【００１５】
温度センサＳ１は、送信機２０のチップの裏面に張り付けられ、増幅回路２２に接続されている。温度センサＳ１で計測されたデータは、電圧信号として増幅回路２２に送られる。なお、温度センサＳ1 は、例えば、縦横の寸法が４ｍｍ×８ｍｍで、高さが０．３ｍｍの半導体温度センサが用いられる。また、抵抗素子型温度センサであってもよい。
【００１６】
増幅回路２２は、温度センサＳ１から送られた電圧信号を増幅する部位で、公知の増幅回路で構成される。
送信制御部２４は、送信信号生成部２４ａおよび乱数発生回路２４ｂを有し、さらに、図示されないＣＰＵ（中央処理ユニット）を有して構成される。送信制御部２４は、また送信機２０の各構成部位の駆動タイミングを調整する。例えば、送信機２０を一定間隔、例えば１０秒間隔で駆動状態として送信信号を送信するための送信指示信号を生成し、各部位に供給する。
送信信号生成部２４ａは、自ら所定間隔で生成する送信指示信号に応じて、温度センサＳ1 から送られ増幅回路２２で増幅された電圧信号の、温度センサＳ1 について予め設定されている基準温度の電圧からの電圧ずれ量を求め、送信信号生成部２４ａに記憶されている送信機器識別情報を加えて送信情報の送信信号を生成する部位である。すなわち、送信信号生成部２４ａで生成される送信信号は、送信機識別情報、例えば、０と１からなる６ビットの情報が加えられたものである。このような送信信号は変調回路３２に送られる。
【００１７】
乱数発生回路２４ｂは、送信信号生成部２４ａから送られてきた送信指示信号に応じて、所定の範囲で乱数を発生させ、この乱数の値をランダム信号発振回路２６に送る部位である。
【００１８】
ランダム信号発振回路２６は、送信信号生成部２４ａから送られてきた送信指示信号によって駆動を開始するとともに、送られてきた乱数の値に応じて発振周波数ｆa を変えて、一定時間同一周波数で発振する回路である。ランダム信号発振回路２６で発振周波数ｆa は、例えば、±１００ｋＨｚの変動幅で変動する。基準信号発振回路２８は、送信信号生成部２４ａから送られてきた送信指示信号によって駆動を開始し、一定時間同一周波数ｆ0 、例えば３１５ＭＨｚで発振して基準信号を生成する回路である。
混合器３０は、ランダム信号発振回路２６の発振周波数ｆa を持った信号を、基準信号発振回路２８の発振周波数ｆ0 を持った基準信号に加算して、所定の周波数の帯域内でランダムに選択された周波数ｆ0 ＋ｆa を持った搬送波信号を生成する。
ランダム信号発振回路２６、基準信号発振回路２８および混合器３０は、搬送波信号生成部３１を形成する。
【００１９】
変調回路３２は、混合器３０で生成された周波数ｆ0 ＋ｆa を持った搬送波信号を送信信号２４ａで生成された送信信号に応じて周波数変調方式で変調し、増幅する部位であり、本発明の高周波信号生成部に該当し、増幅された高周波信号は送信用アンテナ３４に供給される。
【００２０】
このような送信機２０の各部位には、送信機２０に内蔵される電源、例えば、出力電圧３Ｖのコイン型電池やボタン電池から電力が供給されている。この電源は、厚みが０．４ｍｍ程度の小型のシート状電池であってもよい。
送信機２０は、上述したように、直径２５ｍｍの円形状のチップ上に細かく設計されているので、送信機２０に必要な電圧は、従来のテレメータに比べて小さくて済み消費電力も小さいため、例えば３Ｖであれば、小型のシート状電池であっても、略３年間電源を供給することができる。従って、送信機２０は、電源が供給される限り、発生した乱数に応じて所定の周波数の帯域内でランダムに選択された周波数で断続的に高周波信号を発生する。
なお、本実施例の送信機２０で生成される送信情報は、送信信号生成部２４ａに記憶されている送信機器識別情報を含むものであるが、送信機器識別情報を送信情報に含ませる替わりに、予め温度センサＳ1 から出力される温度データにセンサ識別情報を含ませて、受信機Ｒがどの温度センサの送信情報か識別できるようにしてもよい。
送信機２０は、以上のように構成される。
【００２１】
また、本実施例は、温度センサで計測される温度情報を送信機を介して受信機に送信するシステムであるが、本発明では上記実施例に限定されるわけではなく、センサとして、例えば、圧力センサ、あるいはＣＣＤ撮像素子やＣＭＯＳ型撮像素子等の画像データを取得する撮像素子であってもよく、あるいは音声データを取得する小型マイク等の音響変換素子であってもよい。すなわち、送信機から受信機に送信される情報は、温度や圧力や画像や音声のデータ等いずれであってもよい。
【００２２】
図３には、受信機Ｒ（以降では、受信機の符号Ｒを４０とする）の構成を示している。
受信機４０は、受信用アンテナ４２、広帯域増幅回路４４、信号処理部４６、および出力部４８とを有して構成される。
受信用アンテナ４２は、送信機Ｔ１〜Ｔｎから送信された高周波信号を受信信号として受信する。
広帯域増幅回路４４は、送信機Ｔ１〜Ｔｎが送信の度にランダムに周波数を設定して高周波信号を送信する周波数の変動範囲内、例えば３１５ＭＨｚに対して±１０ＭＨｚの範囲内において、平坦な利得を得る低雑音増幅器で、受信用アンテナ４２で受信した高周波信号を増幅する。広帯域増幅回路４４は、例えば、負帰還形、抵抗整合形等の増幅器であり、トランジスタ等の能動素子の入出力インピーダンスを周波数に依存しない所定の抵抗値にすることにより、広帯域化されている。
【００２３】
信号処理部４６は、周波数変換器４６ａ、スイープ発振回路４６ｂ、ＣＰＵ（中央処理ユニット）４６ｃ、検波回路４６ｄおよびメモリ４６ｅを有する。
周波数変換器４６ａは、広帯域増幅回路４４で増幅された受信信号とスイープ発振回路４６ｂから発振される振幅一定の同調信号を乗算することによって、受信信号に含まれる高周波信号の周波数と同調信号の周波数との差周波数の信号を生成して、高周波信号の周波数を所定の周波数に変換し、変換された高周波信号に対して帯域通過フィルタを用いて、変換された高周波信号のみを取り出す部位である。スイープ発振回路４６ｂで生成される同調信号の周波数は一旦発振周波数が設定されると高周波信号を受信する期間一定にロックされる。
【００２４】
スイープ発振回路４６ｂは、同調信号の発振周波数を高周波側から低周波側にスイープする発振回路であり、周波数変換器４６ａから得られた差周波数の信号のゲインが最大となるようにＣＰＵ４６ｃから供給される制御信号に応じて、同調信号の発振周波数を固定するように構成される。
【００２５】
ＣＰＵ４６ｃは、周波数変換器４６ａから送られた差周波数の信号に基づいて、差周波数の信号のゲインが最大となるように発振周波数を制御する制御信号をスイープ発振回路４６ｂに送ると共に、検波回路４６ｄにゲインが最大となった差周波数の信号を送る部位であり、演算処理ユニットによって構成される。
ＣＰＵ４６ｃは、例えば、ＣＰＵ４６ｃに形成された分周器と位相比較器を用いて高周波信号に同調させる公知の周波数シンセサイザ方式を用いてスイープ発振回路４６ｂの発振周波数を制御する。
検波回路４６ｄは、ＣＰＵ４６ｃから送られた差周波数の信号から、温度センサＳ1 〜Ｓｎで計測された電圧の電圧変化量の情報を持った送信信号を抽出する部位であり、抽出された送信信号はＣＰＵ４６ｃに戻される。
またＣＰＵ４６ｃは、検波回路４６ｄで検波され抽出された送信信号から、送信機識別情報と、温度センサＳ1 〜Ｓｎで計測された電圧の電圧変化量の送信情報（温度送信情報）とに分離するとともに、送信機２０のセリアル番号等、送信機を特定できる識別番号や符号等が、送信機識別情報に対応して記録されているメモリ４６ｅから、送信機識別情報に対応した識別番号や符号が呼び出されて、取得された温度送信情報がどの送信機から送信されたものであるか判読する部位である。判読された識別番号や符号と温度送信情報は、出力部４８に送られる。
【００２６】
出力部４８には、予め温度計測の前に、温度センサＳ１〜Ｓｎの零点調整やキャリブレーション（較正）が行われて、基準温度の出力電圧と計測温度の電圧との差分である電圧変化量の情報から、温度センサＳ１〜Ｓｎが実際に計測した温度を求めることができるように、基準温度の出力電圧や参照テーブルが作成されている。出力部４８は、送られたきた温度送信情報から、この参照テーブルを用いて実際に計測した温度の値を求め、この温度の値を、送信機の識別番号ごとに、温度データとして整理し、出力データを取得する部位である。
【００２７】
このような受信機４０によって、複数個、例えば１００個の送信機から断続的に送られて来る高周波信号に基づいて温度データを取得することができる。このような受信機４０は、例えば３０ｍ程度離れた複数の送信機から送信される電波を受信する。
受信機４０は、以上のように構成される。
【００２８】
このような送信システム１０では、温度センサＳ１〜Ｓｎが送信機Ｔ１〜Ｔｎと接続され、所定の温度で零点調整やキャリブレーションが行われ、その結果、受信機４０の出力部４８に、基準温度の出力電圧（基準電圧）が記録され、各温度センサＳ１〜Ｓｎの出力電圧の基準電圧からの電圧変化量とその時の温度の、基準温度からの温度差とを対応付けた参照テーブルが作成される。
【００２９】
その後、温度センサＳ１〜Ｓｎは、送信機Ｔ１〜Ｔｎとともに、温度計測点に固定される。その際、すでに、送信機Ｔ１〜Ｔｎからランダムな周波数の搬送波信号によって受信機Ｒに向けて断続的に高周波信号が送信される。
【００３０】
すなわち、送信機２０の送信信号生成部２４ａにおいて所定時間間隔で生成される送信指示信号が乱数発生回路２４ｂ、ランダム信号発振回路２６および基準信号発振回路２８に送られる。
乱数発生回路２４ｂでは、送られてきた送信指示信号をトリガー信号として乱数を発生させ、この乱数の値がランダム信号信号発振回路２６に送られる。  一方、ランダム信号発振回路２６では、送られて来た送信指示信号をトリガー信号として駆動を開始し、乱数発生回路２４ｂから送られてきた乱数の値に応じて発振周波数ｆa が設定されて、発振が行われる。
【００３１】
一方、基準信号発振回路２８では、送られて来た送信指示信号をトリガー信号として駆動を開始し、予め定められた発振周波数ｆ0 を持った基準信号の発振が行われる。
混合器３０では、ランダム信号発振回路２６から発振された信号が、基準信号発振回路２８から発振された振周波数ｆ0 、例えば３１５ＭＨｚを持った基準信号に加算され、所定の周波数の帯域内でランダムに選択された周波数ｆ0 ＋ｆa を持った搬送波信号が生成される。生成された搬送波信号が変調回路３２に送られる。
一方、送信信号生成部２４ａでは、温度センサＳ１から送られてくる温度の出力電圧から、基準温度の出力電圧を差し引いた差分電圧が作られ、この差分電圧が温度送信情報とされ、さらに、送信信号生成部２４ａに記憶されている送信機識別情報が呼び出されて、温度送信情報の先頭部分にヘッダ情報として付加されて送信信号が生成される。ヘッダ情報の付加された送信信号は変調回路３２に送られる。
【００３２】
変調回路３２では、混合器３０から送られてきた搬送波信号が送信信号生成部２４ａから送られてきた送信信号に基づいて周波数変調され、さらに増幅されて送信用アンテナ３４に送られる。そして、送信用アンテナ３４から、送信信号に基づいて変調された高周波信号が一定時間、例えば３０ｍ秒放射される。
【００３３】
一方、受信機４０では、受信用アンテナ４２で受信された受信信号は、広帯域増幅回路４４で増幅される。
信号処理部４６では、広帯域増幅回路４４で増幅された受信信号内に含まれる高周波信号が、スイープ発振回路４６ｂから発振される同調信号をスイープすることによってサーチされ、搬送波信号の周波数に応じて同調信号の周波数が固定される。
こうして設定された同調信号を用いて受信信号は周波数変換され、所定の周波数に変換された高周波信号が帯域通過フィルタを用いて取り出される。さらに、高周波信号は検波回路３２で検波されて、高周波信号に含まれる送信信号が取り出される。その際、ＣＰＵ４６ｃは高周波信号のゲインが最大となるように、スイープ発振回路４６ｂに制御信号を与えてフィードバック制御が行われる。
こうして送信信号が復調され、送信機識別情報および温度送信情報が得られる。得られた送信機器識別情報は送信機識別情報に対応する送信機の特定可能な識別番号や符号がメモリ４６ｅから呼び出される。得られた識別番号や符号と送信情報は、出力部４８に送られる。
【００３４】
出力部４８では、温度センサの基準電圧と計測温度の電圧との差分である電圧変化量の情報（温度送信情報）と、特定された送信機に接続された温度センサの基準温度の出力電圧および参照テーブルとを用いて温度データを求め、この温度データを特定された送信機に接続された温度センサによって計測された温度データとして取得する。
【００３５】
このように、複数の送信機Ｔ１〜Ｔｎから、例えば１秒間に百程度の送信情報が受信機４０によって取得され、受信機４０によって、特定された送信機毎の温度データが、図１に示すように、整理されて、送信機に対応した温度センサＳ１〜Ｓｎの計測温度の時系列データＤ1 （ｉ），Ｄ2 （ｉ），Ｄ3 （ｉ）・・・が出力データとして出力される。
【００３６】
送信システム１０では、送信情報を周波数がランダムに選択された搬送波信号で断続的に送信することによって、同一の構成の送信機Ｔ１〜Ｔｎの搬送波の周波数を変えることができるので、お互いの電波が干渉して、送信信号のゲインやＳ／Ｎ比が低下することを防止できる。一定の周波数で送信する従来の方式の場合、電波の干渉を防止する点から送信機毎に周波数を設定する必要があり、新たな送信機を送信システム１０に追加したり、送信機を取り替えたりする際、搬送波の周波数の設定作業が煩雑となるが、送信システム１０の場合、送信機Ｔ１〜Ｔｎは同一の構成を持つ送信機で構成されるので、従来のように送信機の周波数を１つ１つセットする必要はなく、同一の送信機を送信システム１０に新たに持ち込むことも容易にできる。したがって、複数の送信機と１つの受信機を用いた無線送信システムを容易に築くことができる。
なお、本発明の送信機は、送信指示信号が一定時間間隔毎に断続的に発生して、高周波信号を一定時間間隔毎に送信するものに限られず、送信指示信号がランダムな時間間隔で断続的に発生して高周波信号をランダムな時間間隔で送信するものであってもよい。
【００３７】
このよな送信システム１０は、例えば、図４に示すように、例えば４輪車両５０の各タイヤ（左前輪Ｌf 、右前輪Ｒf 、左後輪Ｌr および右後輪Ｒr ）内部に、送信機Ｔ１〜Ｔ４および温度センサＳ１〜Ｓ４をタイヤ断面のトレッド内中央部に埋め込みタイヤ内部温度を計測し、送信機Ｔ５〜８および圧力センサＳ５〜Ｓ８をタイヤ内面に貼り付けタイヤ内圧を計測し、受信機Ｒを車両に配置して、車両内で、タイヤの内部温度やタイヤの内圧を常にモニターし管理するタイヤモニタリングシステムに適用することができる。なお、温度センサＳ１〜Ｓ４は、縦横の寸法が４ｍｍ×８ｍｍで、高さが０．３ｍｍの半導体型温度センサを用い、この温度センサＳ１〜Ｓ４を、直径２５ｍｍの円形状平板の送信機Ｔ１〜Ｔ４の裏面に貼り付けているので、温度センサと送信機は、小さな円形状チップとなり、タイヤトレッド内部に容易に埋め込むことができる。その際、圧力センサＳ５〜Ｓ８は、小型の半導体型圧力センサを用いるとよい。
【００３８】
以上、本発明の送信機および無線送信システムについて詳細に説明したが、本発明は上記実施例に限定はされず、本発明の要旨を逸脱しない範囲において、各種の改良および変更を行ってもよいのはもちろんである。
【００３９】
【発明の効果】
以上、詳細に説明したように、本発明は、対応するセンサと共に車両のタイヤ内部に設置された複数の送信機を用いて情報を送信する際、各送信機は乱数発生部で発生された乱数の値に応じて所定の周波数の帯域内で設定された周波数の搬送波信号を用いて送信するので、車両に配置された受信機は、送信機同士の電波の干渉を抑制し、センサにより計測されたセンサ計測情報を含む送信情報を確実に受信することができる。また、送信機の搬送波信号の周波数を個別に設定することを必要とせず、送信システムを容易に構築することができる。
【図面の簡単な説明】
【図１】  本発明の無線送信システムの一例である温度計測に用いる送信システムの概略の構成を示す図である。
【図２】  本発明の送信機の一例の構成を示すブロック図である。
【図３】  本発明の無線送信システムに用いられる受信機の構成の一例を示すブロック図である。
【図４】  本発明の無線送信システムを適用するタイヤモニタリングシステムを説明する図である
【符号の説明】
１０  送信システム
２０  送信機
２２  増幅回路
２４  送信制御部
２４ａ  送信信号生成部
２４ｂ  乱数発生回路
２６  ランダム信号発振回路
２８  基準信号発振回路
３０  混合器
３１  搬送波信号生成部
３２  変調回路
３４  送信用アンテナ
４０  受信機
４２  受信用アンテナ
４４  広帯域増幅回路
４６  信号処理部
４６ａ  周波数変換器
４６ｂ  スイープ発振回路
４６ｃ  ＣＰＵ
４６ｄ  検波回路
４６ｅ  メモリ
４８  出力部
【図１】
0004415518.tif 000002
【図２】
0004415518.tif 000003
【図３】
0004415518.tif 000004
【図４】
0004415518.tif 000005